【手続補正書】
【提出日】平成20年4月10日(2008.4.10)
【手続補正１】
【補正対象書類名】明細書
【補正対象項目名】特許請求の範囲
【補正方法】変更
【補正の内容】
【特許請求の範囲】
【請求項１】  ユーザーに関連したユーザーコードを記憶し，取引のために疑似ランダムセキュリティストリングを発生するためのホストコンピュータであって，該ホストコンピュータが，前記ユーザーコードの各桁の値によって決定された位置に基づいて前記疑似ランダムセキュリティストリングから文字を選択することにより１回の取引コードを決定するホストコンピュータと，
前記疑似ランダムセキュリティストリングを受信することにより前記取引を管理し，ユーザー発生の取引入力コードをホストコンピュータに送信する，前記ホストコンピュータと電子通信する少なくとも１つの電子デバイスとを備え，
前記ユーザー発生の取引入力コードは，前記ユーザーコードの各桁の値によって決定された位置に基づいて前記疑似ランダムセキュリティストリングから文字を選択することにより決定され，前記ユーザー発生の取引入力コードは前記ホストコンピュータに送られ，前記ホストコンピュータは前記ユーザー発生の取引入力コードが前記１回の取引コードと一致することを証明する，識別証明安全取引システム。
【請求項２】  前記少なくとも１つの電子デバイスが販売時点電子送金（ＥＦＴ／ＰＯＳ）デバイスである，請求項１記載のシステム。
【請求項３】  前記少なくとも１つの電子デバイスが，前記取引を管理し，前記ユーザー発生の取引入力コードを受信するための販売時点電子送金（ＥＦＴ／ＰＯＳ）デバイスと，前記疑似ランダムセキュリティストリングを受信し，これをディスプレイする，前記ユーザーに関連した無線デバイスとを含む，請求項１記載のシステム。
【請求項４】  前記疑似ランダムセキュリティストリングの代わりに，前記無線デバイスにより前記１回の取引コードを受信し，ディスプレイする，請求項３記載のシステム。
【請求項５】  前記少なくとも１つの電子デバイスが前記ユーザーに関連する無線デバイスである，請求項１記載のシステム。
【請求項６】  前記疑似ランダムセキュリティストリングの代わりに，前記１回取引コードが前記無線デバイスに送られる，請求項５記載のシステム。
【請求項７】  前記少なくとも１つの電子デバイスが，
前記疑似ランダムセキュリティストリングを受信し，これをディスプレイし，前記ユーザー発生の取引入力コードを受信する，前記ホストコンピュータと電子通信するユーザーのコンピュータと，
前記ユーザーのコンピュータおよび前記ホストコンピュータと電子通信する，前記取引を管理するマーチャントコンピュータとを含み，
前記少なくとも１つの電子デバイスのうちの１つがユーザー識別証明のために前記ユーザー発生の取引入力コードを前記ホストコンピュータに中継する，請求項１記載のシステム。
【請求項８】  前記ユーザーコンピュータと前記マーチャントコンピュータとがインターネットを通して通信する，請求項７記載のシステム。
【請求項９】  前記疑似ランダムセキュリティストリングの代わりに，前記ユーザーコンピュータにより前記１回の取引コードが受信され，ディスプレイされる，請求項７記載のシステム。
【請求項１０】  前記少なくとも１つの電子デバイスが，
前記疑似ランダムセキュリティストリングを受信し，ディスプレイする，前記ユーザーに関連した無線デバイスと，
前記ユーザー発生の取引入力コードを受信する，前記ホストコンピュータと電子通信するユーザーコンピュータと，
前記ユーザーコンピュータおよび前記ホストコンピュータと電子通信する，前記取引を管理するマーチャントコンピュータとを含み，
前記少なくとも１つの電子デバイスのうちの１つがユーザー識別証明のために前記ユーザー発生の取引入力コードを前記ホストコンピュータに中継する，請求項１記載のシステム。
【請求項１１】  前記疑似ランダムセキュリティストリングの代わりに，前記無線デバイスにより前記１回の取引コードが受信され，ディスプレイされる，請求項１０記載のシステム。
【請求項１２】  前記ホストコンピュータが証明時に前記取引の終了を可能にする，請求項１記載のシステム。
【請求項１３】  前記ホストコンピュータが証明時にデータベースへのアクセスを可能にする，請求項１記載のシステム。
【請求項１４】  前記ホストコンピュータが証明時に口座情報へのアクセスを可能にする，請求項１記載のシステム。
【請求項１５】  ホストコンピュータに関連するユーザーコードに関する情報を記憶する工程と，
前記ホストコンピュータにより疑似ランダムセキュリティストリングを発生する工程と，
前記ユーザーコードの各桁の値によって決定された位置に基づいて前記疑似ランダムセキュリティストリングから文字を選択することにより取引コードを決定する工程と，
前記疑似ランダムセキュリティストリングを少なくとも１つの電子デバイスに送信する工程と，
前記ユーザーが使用するよう，前記少なくとも１つの電子デバイスに前記疑似ランダムセキュリティストリングをディスプレイする工程と，
前記少なくとも１つの電子デバイス上のユーザー発生の取引入力コードを前記ユーザーから受け取る工程であって，前記ユーザー発生の取引入力コードは，前記ユーザーコードの各桁の値によって決定された位置に基づいて前記疑似ランダムセキュリティストリングから前記ユーザーが文字を選択することにより決定され，
前記少なくとも１つの電子デバイスは，前記ユーザー発生の取引入力コードを前記ホストコンピュータに送信する工程を含み，
前記ホストコンピュータは，前記取引コードが前記ユーザー発生の取引入力コードに一致しているかどうかを決定する工程，
とを含む，安全取引を行うために識別を証明する方法。
【請求項１６】  前記取引コードと前記ユーザー発生の取引入力コードとが一致した時に取引を完了させる工程を更に含む，請求項１５記載の方法。
【請求項１７】  前記取引コードと前記ユーザー発生の取引入力コードとが一致した時にデータベースへのアクセスを行う工程を更に含む，請求項１６記載の方法。
【請求項１８】前記取引コードと前記ユーザー発生の取引入力コードとが一致した時に口座情報へのアクセスを行う工程を更に含む，請求項１６記載の方法。
【請求項１９】  販売時点電子送金（ＥＦＴ／ＰＯＳ）デバイスに前記疑似ランダムセキュリティストリングを送信し，ディスプレイする工程を更に含む，請求項１５記載の方法。
【請求項２０】  前記ユーザーに関連する無線デバイスに前記疑似ランダムセキュリティストリングを送信し，ディスプレイする工程を更に含む，請求項１５記載の方法。
【請求項２１】  前記ホストコンピュータと電子通信するユーザーコンピュータに前記疑似ランダムセキュリティストリングを送信し，ディスプレイする工程を更に含む，請求項１５記載の方法。
【請求項２２】  インターネットを介して前記ホストコンピュータと前記ユーザーコンピュータとの間で通信を行う工程を更に含む，請求項２１記載の方法。
【請求項２３】  前記少なくとも１つの電子デバイスに前記取引コードを送信し，ディスプレイする工程を更に含む，請求項１５記載の方法。
【請求項２４】  ユーザー相互作用入力コードはタッチ感応ディスプレイの任意の領域を通して入力される，請求項１記載のシステム。
【請求項２５】  前記ユーザー発生の取引入力コードがユーザーにより決定される，請求項１記載のシステム。
【請求項２６】  ｉ）電子デバイス上でユーザーコードの入力のための安全ユーザーコード入力インターフェースであって，該安全ユーザーコード入力インターフェースはユーザーによる前記ユーザーコードの少なくとも１つの数字の入力のために少なくとも１つのアクティブなディスプレイを含み，該アクティブなディスプレイは該アクティブなディスプレイ内で少なくとも１つのディスプレイ数字を照明またはハイライト化し，前記ユーザーは前記ユーザーコードの前記少なくとも１つの数字を，前記ユーザーコードの前記少なくとも１つの数字に対応する前記少なくとも１つのディスプレイ数字が前記アクティブなディスプレイ内で照明またはハイライト化される応答時間に入力デバイスを通して応答することにより入力し，
ｉｉ）前記少なくとも１つのアクティブなディスプレイを延長するために前記応答時間にランダムランオン時間を付加する
安全ユーザーコード入力インターフェースシステム。
【請求項２７】  前記応答はキーボードの複数のキーのいずれか１つを押すことにより入力される，請求項２６記載のシステム。
【請求項２８】  前記応答はマウスの複数のキーのいずれか１つを押すことにより入力される，請求項２６記載のシステム。
【請求項２９】  前記応答はタッチ感応ディスプレイの任意の領域を通して入力される，請求項２６記載のシステム。
【請求項３０】  前記安全ユーザーコード入力インターフェースプログラムは，前記ユーザーコードの各桁の入力のために前記少なくとも１つのアクティブなディスプレイの複数のサイクルを含む，請求項２６から２９のいずれかに記載のシステム。 
【請求項３１】  前記ランダムランオン時間が３秒より短い，請求項２６から３０のいずれかに記載のシステム。
【請求項３２】  ｉ）ユーザーに関連するユーザーコードを記憶するホストコンピュータと，
ｉｉ）前記ホストコンピュータと電子通信するディスプレイとユーザー入力デバイスとを有する電子デバイスと，
ｉｉｉ）前記ユーザーコードの入力のための前記少なくとも１つの電子デバイスのディスプレイ上で見ることのできる安全ユーザーコード入力インターフェイスであって，該安全ユーザーコード入力インターフェイスは，前記ユーザーコードの入力のためにアクティブなディスプレイと共に少なくとも１つのサイクルを含み，前記ユーザーは前記ユーザーコードの少なくとも１つのユーザーコードの数字を，前記ユーザーコードの少なくとも１つのユーザーコードの数字に対応するディスプレイ数字が前記アクティブなディスプレイ内で照明またはハイライト化されている応答時間に，前記ユーザー入力デバイスを通しての応答により入力する，安全ユーザーコード入力インターフェイスとを含み，
ｉｖ）前記少なくとも１つのユーザーコードの数字の各桁が前記少なくとも１つのサイクルの各サイクルで入力され，前記少なくとも１つのサイクルの各サイクルを延長するために前記応答時間にランダムランオン時間が付加され，
Ｖ）入力された前記ユーザーコードが，記憶された前記ユーザーコードとの証明のために前記ホストコンピュータに送信される，アイデンティティ証明安全取引システム。
【請求項３３】  前記応答がキーボードの複数のキーのいずれか１つを押すことにより入力される，請求項３２記載のアイデンティティ証明安全取引システム。
【請求項３４】  前記応答がタッチ感応ディスプレイのいずれかの領域を通して入力される，請求項３２記載のアイデンティティ証明安全取引システム。